(57)【要約】      （修正有）【課題】簡単な構造によって当初の設定位置に安定に停止保持できるスライド式操作部材用摘みを提供する。【解決手段】機器のスライド式スイッチやスライド式ボリューム等のスライド式操作部材３に用いられる摘みであり、前記機器の格納ケースのガイド溝５から突出する前記スライド部材の先端部に固着された固定軸１５と、前記固定軸の外側に嵌合され、前記スライド式操作部材の長さ方向に沿って移動可能な摘み本体と、前記摘み本体の背面に装着されたゴムプレート１２と、前記固定軸と前記摘み本体間の筒状空間部に収容され、前記摘み本体を前記格納ケースの外面に向かって移動付勢する圧縮コイルバネ１７とからなる。前記格納ケースの外面に押し付けた前記ゴムプレートの摩擦接触抵抗によって前記摘み本体を当初の設定位置に停止保持する。【選択図】図６
2010146928.tif 000002
【特許請求の範囲】
【請求項１】
機器のスライド式スイッチやスライド式ボリューム等のスライド式操作部材に用いられる摘みであって、前記機器の格納ケースのガイド溝から突出する前記スライド式操作部材の先端部に固着された固定軸と、前記固定軸の外側に嵌合され、前記スライド式操作部材の長さ方向に沿って移動可能な摘み本体と、前記摘み本体の背面に装着されたゴムプレートと、前記固定軸と前記摘み本体間の筒状空間部に収容され、前記摘み本体を前記格納ケースの外面に向かって移動付勢する圧縮コイルバネとからなり、前記格納ケースの外面に押し付けた前記ゴムプレートの摩擦接触抵抗によって前記摘み本体を当初の設定位置に停止保持するようにしたスライド式操作部材用摘み。
【発明の詳細な説明】
【技術分野】
【０００１】
本発明は、各種機器のスライド式スイッチやスライド式ボリューム等のスライド式操作部材に使用される摘みに関するものである。
【背景技術】
【０００２】
恒温槽等の試験機器においては、試験の前提条件である温度調節等は試験結果を左右する重要なファクタであるが、試験機器の温度調節機構のスライド式操作部材の摘みは、機器格納ケースの外側に単に突出して配置されているだけであるため、機器格納ケースの扉の開閉時の衝撃、周囲環境からの外部振動、衣服や器材の不用意な接触によって、摘みが当初の設定位置から無意図的に変更されてしまい、試験の前提条件の変動によって所期の試験結果を得られないことがあり、再実験を余儀なくされることがある。
【０００３】
電子機器に適用されるスライド操作機構及びスライド摘みとして、操作者にスライド式スイッチの切り換えをはっきり認識させるために良好なクリック感を与えるようにしたものが既に開発されているが（特許文献１参照）、スライド式操作部材の摘みを当初の設定位置に安定に停止保持するようにした技術は未だ提案されていない。
【０００４】
【特許文献１】特開平１１−２５８０３号公報
【発明の開示】
【発明が解決しようとする課題】
【０００５】
本発明の課題は、簡単な構造によって当初の設定位置に安定に停止保持できるようにしたスライド式操作部材用摘みを提供することである。
【課題を解決するための手段】
【０００６】
本発明の対象は、機器のスライド式スイッチやスライド式ボリューム等のスライド式操作部材に用いられる摘みであって、前記機器の格納ケースのガイド溝から突出する前記スライド部材の先端部に固着された固定軸と、前記固定軸の外側に嵌合され、前記スライド式操作部材の長さ方向に沿って移動可能な摘み本体と、前記摘み本体の背面に装着されたゴムプレートと、前記固定軸と前記摘み本体間の筒状空間部に収容され、前記摘み本体を前記格納ケースの外面に向かって移動付勢する圧縮コイルバネとからなり、前記格納ケースの外面に押し付けた前記ゴムプレートの摩擦接触抵抗によって前記摘み本体を当初の設定位置に停止保持するようにしたものである。
【発明の効果】
【０００７】
本発明のスライド式操作部材用摘みは、機器格納ケースのガイド溝から突出するスライド式操作部材の先端部に固定軸を固着し、前記スライド式操作部材の長さ方向に沿って移動可能な摘み本体を前記固定軸に嵌合し、前記固定軸と前記摘み本体間の筒状空間部に収容した圧縮コイルバネによって前記摘み本体を前記格納ケースの外面に向かって移動付勢したものであり、前記ガイド溝に沿って付されている目盛に従って所望の位置まで前記スライド式操作部材を動かした後、前記摘み本体から指を離すと、前記圧縮コイルバネの付勢によって前記摘み本体が前記格納ケースの外面に向かって移動し、前記摘み本体の背面に装着してあるゴムプレートが前記格納ケースの外面に押し付けられる。
【０００８】
前記格納ケースの外面に押し付けられた前記ゴムプレートと前記格納ケースとの間に働く十分に大きな摩擦接触抵抗によって前記摘み本体の動きが的確に制止されることになる。そのため、前記格納ケースの扉の開閉時の衝撃や周囲環境からの外部振動、衣服や器材の不用意な接触によって、スライド式操作部材の位置が当初の設定位置から無意図的に変更されてしまうことがないものである。
【実施例】
【０００９】
図示の実施例では、機器１のスライド式調整機構（図示していない）に接続された帯板状のスライド式操作部材２は、機器格納ケース３のガイド溝４から先端部が突出しており、当該先端部には直方体状の摘み本体５が装備されている。摘み本体５の前面下部には「ＰＵＬＬ」という操作方向指示文字６が刻印されており、摘み本体５の前面上部には、円形空洞部７が内底壁８を残して前後方向に深く形成されている。内底壁８の中央部には、スライド式操作部材２が嵌挿される角孔９が前後方向に貫通して形成されている。
【００１０】
内底壁８の背面には矩形状の窪み１０が形成されており、窪み１０に収納された矩形状のゴムプレート１１は内底壁８の背面に強固に接着されている。ゴムプレート１１の中央部には、スライド式操作部材２の通過孔１２が形成されている。スライド式操作部材２の最先端部分には雄ねじ部１３が形成されている。円筒形状の固定軸１４は、摘み本体５の空洞部７に余裕を残して挿入されており、中央部の雌ねじ部１５にスライド式操作部材１２の雄ねじ部１３がねじ込み固着されている。
【００１１】
摘み本体５の内周面と固定軸１４の外周面との間に残された前記空洞部７には、圧縮コイルバネ１６が収納されており、圧縮コイルバネ１６の前端は、固定軸１４の前端鍔部１７に当接し、圧縮コイルバネ１６の後端は、摘み本体５の内底壁８の前面に当接している。摘み本体５の空洞部７の前端部には円盤状のキャップ１８が嵌め込み固定されている。
【００１２】
スライド式操作部材２を別の設定位置に移動させるときには、摘み本体５を手前に引いてゴムプレート１１を格納ケース３の外面から引き離す。このとき、圧縮コイルバネ１６は固定軸１４の前端鍔部１７と摘み本体５の内底壁８との間で更に圧縮負荷される。ガイド溝４に沿って付された目盛（図示していない）に従って摘み本体５を横に引き、スライド式操作部材２を所望の設定位置に移動させた後、摘み本体５から指を離すと、圧縮コイルバネ１６の復元力によって摘み本体５が格納ケース３の外面に向かって移動し、ゴムプレート１１が格納ケース３の外面に押し付けられる。
【００１３】
摘み本体５がゴムプレート１１と格納ケース３の間に働く摩擦接触抵抗によって新しい目盛位置に停止保持されるため、スライド式操作部材２も新しい設定位置に的確に停止保持される。
【図面の簡単な説明】
【００１４】
【図１】本発明の一実施例に係るスライド式操作部材用摘みの正面図である。
【図２】図１の摘みの右側面図である。
【図３】図１の摘みの背面図である。
【図４】図１の摘みの平面図である。
【図５】図１のＡ−Ａ線断面図である。
【図６】図１のＢ−Ｂ線断面図である。
【符号の説明】
【００１５】
１  機器２  スライド式操作部材３  格納ケース４  ガイド溝５  摘み本体６  操作方向指示文字７  摘み本体の空洞部８  摘み本体の内底壁９  内底壁の角孔１０  内底壁の窪み１１  ゴムプレート１２  ゴムプレートの通過孔１３  スライド式操作部材の雄ねじ部１４  固定軸１５  固定軸の雌ねじ部１６  圧縮コイルバネ１７  固定軸の前端鍔部１８  キャップ 
【図１】
2010146928.tif 000003
【図２】
2010146928.tif 000004
【図３】
2010146928.tif 000005
【図４】
2010146928.tif 000006
【図５】
2010146928.tif 000007
【図６】
2010146928.tif 000008